(57)【要約】【課題】不定期放送の可能性のある、複数話番組を好適に録画予約する。【解決手段】番組表から手動で番組予約するとき、番組情報から複数話で構成される番組であると判定された場合、関連番組を自動的に検索する。次回放送が検出された場合、予約した番組と次回以降の放送間隔を判定し、曜日設定や毎週設定等の予約設定を自動的に行なう。その際に、自動予約機能を有効にしていたら、全ての予約設定を自動的に完了する。次回放送が検出されなかった場合は、複数話設定を行い、予約設定処理を継続する。複数話と判定されない場合は、通常の単番組予約とみなし、予約設定処理を継続する。【選択図】  図２
2012205165.tif 000002
【特許請求の範囲】
【請求項１】
番組情報を取得する番組情報取得部と、
番組の録画予約時に、録画予約する番組の関連番組の情報を前記番組情報で自動検索する関連番組検索部と、
前記関連番組検索部が取得した関連番組の情報に基づいて、関連番組の録画予約処理を行なう関連番組予約部と、
を具備する録画予約装置。
【請求項２】
録画予約する番組が複数話で構成される番組かどうかを判定する複数話設定判定部をさらに備え、
前記関連番組検索部は、前記複数話設定判定部が複数話構成と判定した番組について次回放送される関連番組の情報を自動検索し、
前記関連番組予約部は、前記関連番組検索部が検出した次回放送される関連番組の情報に基づいて、次回放送される関連番組の録画予約処理を行なう、
請求項１に記載の録画予約装置。
【請求項３】
前記関連番組検索部が、同じ週内の別の曜日の同じ時間帯、又は、次週で、次回放送される番組を検出したときに、前記関連番組予約部は、曜日設定又は毎週設定により、次回放送される関連番組の録画予約処理を行なう、
請求項２に記載の録画予約装置。
【請求項４】
前記関連番組検索部が次回放送される関連番組の情報を前記番組情報取得部が取得済みの番組情報から検出できないときに、前記録画予約する番組が複数話で構成されているという情報を保存する複数話設定部をさらに備える、
請求項２に記載の録画予約装置。
【請求項５】
前記関連番組検索部は、番組の予約録画を終了したとき、又は、ユーザーが予約録画した番組の視聴を終了したときのうち少なくとも１つの時点でも、複数話で構成されているという情報が保存されている番組について次回放送される関連番組の情報を自動検索する、
請求項４に記載の録画予約装置。
【請求項６】
前記関連番組予約部は、次回放送される関連番組の録画を未予約にし、予約録画した番組の視聴後に関連番組の録画予約をユーザーに再確認する、
請求項２に記載の録画予約装置。
【請求項７】
前記関連番組検索部は、前記番組情報取得部が番組情報を新規に取得した時点でも、複数話で構成されているという情報が保存されている番組について次回放送される関連番組の情報を自動検索する、
請求項４に記載の録画予約装置。
【請求項８】
前記関連番組予約部は、次回放送される関連番組の情報をユーザーに告知し、ユーザーが選択した予約方法に基づいて録画予約処理を行なう、
請求項２に記載の録画予約装置。
【請求項９】
前記関連番組予約部は、予約方法として次回以降の関連番組の予約を行なわないことが選択されたときには、当該関連番組の予約情報、予約の履歴を削除し、又は、当該関連番組を非嗜好リストに入れる、
請求項８に記載の録画予約装置。
【請求項１０】
前記関連番組予約部は、前記関連番組検索部の自動検索により検出された関連番組を自動予約するか否かを設定することができ、自動予約が設定されていないときには、次回放送される関連番組の録画を未予約にし、予約録画した番組の視聴後に関連番組の録画予約をユーザーに再確認する、
請求項２に記載の録画予約装置。
【請求項１１】
前記関連番組検索部が検出した関連番組が複数話構成の最終回であるかどうかを判定する最終回判定部と、
最終回と判定された関連番組の予約録画を終了したときに、当該関連番組の予約情報を削除する予約情報削除部をさらに備える、
請求項２に記載の録画予約装置。
【請求項１２】
番組情報を取得する番組情報取得ステップと、
番組の録画予約時に、録画予約する番組の関連番組の情報を前記番組情報で自動検索する関連番組検索ステップと、
前記関連番組検索ステップで取得した関連番組の情報に基づいて、関連番組の録画予約処理を行なう関連番組予約ステップと、
を有する録画予約方法。
【請求項１３】
番組情報を取得する番組情報取得部、
番組の録画予約時に、録画予約する番組の関連番組の情報を前記番組情報で自動検索する関連番組検索部、
前記関連番組検索部が取得した関連番組の情報に基づいて、関連番組の録画予約処理を行なう関連番組予約部、
としてコンピューターを機能させるために、コンピューター可読形式で記述されたコンピューター・プログラム。
【発明の詳細な説明】
【技術分野】
【０００１】
本明細書では、放送信号を受信し、番組を録画予約する録画予約装置及び録画予約方法、並びにコンピューター・プログラムについて開示し、特に、複数話で構成される番組を録画予約する録画予約装置及び録画予約方法、並びにコンピューター・プログラムに関して開示する。
【背景技術】
【０００２】
近年、ハード・ディスク・レコーダーや光ディスク・レコーダー、パーソナル・コンピューターなど、ディジタル放送を受信し、番組を録画する機能を持つ機器が販売されている。これらの製品の中には、自動録画機能が搭載されているものも多い。自動録画機能によれば、例えば、ユーザーにより設定された条件に合致する番組をＥＰＧ（Ｅｌｅｃｔｒｉｃ  Ｐｒｏｇｒａｍ  Ｇｕｉｄｅ）データを基に検索し、その検索結果やユーザーの過去の使用状況から得られる嗜好情報を解析して録画対象の番組を選択し、選択した番組の録画を自動的に行なう。
【０００３】
また、録画予約済みの番組の番組名とＥＰＧデータ上の番組名とを比較することにより、録画予約された番組と同じシリーズに属する番組、若しくは複数話で構成される番組を検出し、検出した番組の録画予約を自動的に設定する番組予約装置について提案がなされている（例えば、特許文献１を参照のこと）。
【０００４】
また、録画予約済みの番組の番組名と、随時更新される最新のＥＰＧデータ上の番組名とを比較することにより、録画予約済みの番組の放送時刻の突然の変更を検知して、放送時刻の変更に対応して録画予約を更新する記録装置について提案がなされている（例えば、特許文献２を参照のこと）。
【０００５】
複数話で構成される番組は、毎日、毎週の同一時間帯といったように必ずしも放送開始時刻や放送時間が規則的とは限らず、不定期に放送される可能性がある。従来、不定期に放送される可能性のある、複数話で構成される番組は、ユーザーが手動で録画予約するのが一般的である。すなわち、ユーザーは、番組表を検索や一覧などで確認し、一つ一つ予約設定する必要がある。また、初回放送を録画予約する際に次回の番組情報が得られない場合には、番組情報が得られるまで待つ必要があるが、ユーザーが録画予約を忘れて録り逃してしまうことがある。また、複数話の録画予約をすべて手動で設定するのは、ユーザーにとって手間がかかる。毎週や毎日などの設定の録画予約では、不定期な放送には対応できない。
【０００６】
他方、嗜好解析自動録画機能により、複数話で構成される番組の次回以降の放送を、定期、不定期に拘わらず自動録画してしまう、という方法も考えられる。しかしながら、手動で録画予約したことで嗜好パターンに認識されると、次回以降の録画予約を希望しない場合であっても好んでいると認識され、関連する不要な番組まで自動的に予約されてしまう可能性がある。
【０００７】
自動録画設定する場合、ユーザーは、番組名などのキーワードを登録することで、不定期な放送でも録画することが可能である。しかしながら、放送済みの番組情報からキーワードの抜き出しを行なう手間がある。その他、通常の番組録画予約とは別枠の運用となり、通常の録画予約番組との一覧性が低くなることや、個別の録画設定ができない、などの問題がある。
【０００８】
また、複数話で構成される番組のある回で、ユーザーがもはや番組の録画予約は不要だと思うこともある。キーワード自動録画の場合、次回以降の録画予約をしないようにするには、ユーザーが手動でキーワードの削除を行なう必要がある。同様に、嗜好解析自動録画機能には、手動録画した事実が学習履歴に残って好まれると判断し、ユーザー自身は録画不要だと考えた番組や関連する番組が自動録画されてしまうようになる可能性がある。
【０００９】
録画した番組が最終回である場合、最終回である旨をユーザーに通知する番組予約装置もあるが（例えば、特許文献３を参照のこと）、手動で録画予約情報を削除する必要があり、不便である。また、期変わりの場合などに予約件数の上限に達しているときに、新番組の自動録画予約機能を有効にしていると、終了した番組の録画予約情報が残っていて、新番組の録画予約がされない、という問題もある。
【先行技術文献】
【特許文献】
【００１０】
【特許文献１】特開２００２−２７４１６号公報
【特許文献２】特開２００６−５０３０２号公報
【特許文献３】特開２００８−６０８９８号公報
【発明の概要】
【発明が解決しようとする課題】
【００１１】
本明細書で開示する技術の目的は、複数話で構成される番組を好適に録画予約することができる、優れた録画予約装置及び録画予約方法、並びにコンピューター・プログラムを提供することにある。
【課題を解決するための手段】
【００１２】
本願は、上記課題を参酌してなされたものであり、請求項１に記載の技術は、
番組情報を取得する番組情報取得部と、
番組の録画予約時に、録画予約する番組の関連番組の情報を前記番組情報で自動検索する関連番組検索部と、
前記関連番組検索部が取得した関連番組の情報に基づいて、関連番組の録画予約処理を行なう関連番組予約部と、
を具備する録画予約装置である。
【００１３】
本願の請求項２に記載の技術によれば、請求項１に記載の録画予約装置は、録画予約する番組が複数話で構成される番組かどうかを判定する複数話設定判定部をさらに備えている。そして、関連番組検索部は、前記複数話設定判定部が複数話構成と判定した番組について次回放送される関連番組の情報を自動検索し、関連番組予約部は、前記関連番組検索部が検出した次回放送される関連番組の情報に基づいて、次回放送される関連番組の録画予約処理を行なうように構成されている。
【００１４】
本願の請求項３に記載の技術によれば、請求項２に記載の録画予約装置の関連番組予約部は、関連番組検索部が、同じ週内の別の曜日の同じ時間帯、又は、次週で、次回放送される番組を検出したときに、曜日設定又は毎週設定により次回放送される関連番組の録画予約処理を行なうように構成されている。
【００１５】
本願の請求項４に記載の技術によれば、請求項２に記載の録画予約装置は、関連番組検索部が次回放送される関連番組の情報を前記番組情報取得部が取得済みの番組情報から検出できないときに、前記録画予約する番組が複数話で構成されているという情報を保存する複数話設定部をさらに備えている。
【００１６】
本願の請求項５に記載の技術によれば、請求項４に記載の録画予約装置の関連番組検索部は、番組の録画予約時以外に、番組の予約録画を終了したとき、又は、ユーザーが予約録画した番組の視聴を終了したときのうち少なくとも１つの時点でも、複数話で構成されているという情報が保存されている番組について次回放送される関連番組の情報を自動検索するよう構成されている。
【００１７】
本願の請求項６に記載の技術によれば、請求項２に記載の録画予約装置の関連番組予約部は、次回放送される関連番組の録画を未予約にし、予約録画した番組の視聴後に関連番組の録画予約をユーザーに再確認するように構成されている。
【００１８】
本願の請求項７に記載の技術によれば、請求項４に記載の録画予約装置の関連番組検索部は、前記番組情報取得部が番組情報を新規に取得した時点でも、複数話で構成されているという情報が保存されている番組について次回放送される関連番組の情報を自動検索するように構成されている。
【００１９】
本願の請求項８に記載の技術によれば、請求項２に記載の録画予約装置の関連番組予約部は、次回放送される関連番組の情報をユーザーに告知し、ユーザーが選択した予約方法に基づいて録画予約処理を行なうように構成されている。
【００２０】
本願の請求項９に記載の技術によれば、請求項８に記載の録画予約装置の関連番組予約部は、予約方法として次回以降の関連番組の予約を行なわないことが選択されたときには、当該関連番組の予約情報、予約の履歴を削除し、又は、当該関連番組を非嗜好リストに入れるように構成されている。
【００２１】
本願の請求項１０に記載の技術によれば、請求項２に記載の録画予約装置の関連番組予約部は、前記関連番組検索部の自動検索により検出された関連番組を自動予約するか否かを設定することができ、自動予約が設定されていないときには、次回放送される関連番組の録画を未予約にし、予約録画した番組の視聴後に関連番組の録画予約をユーザーに再確認するように構成されている。
【００２２】
本願の請求項１１に記載の技術によれば、請求項２に記載の録画予約装置は、関連番組検索部が検出した関連番組が複数話構成の最終回であるかどうかを判定する最終回判定部と、最終回と判定された関連番組の予約録画を終了したときに、当該関連番組の予約情報を削除する予約情報削除部をさらに備えている。
【００２３】
また、本願の請求項１２に記載の技術は、
番組情報を取得する番組情報取得ステップと、
番組の録画予約時に、録画予約する番組の関連番組の情報を前記番組情報で自動検索する関連番組検索ステップと、
前記関連番組検索ステップで取得した関連番組の情報に基づいて、関連番組の録画予約処理を行なう関連番組予約ステップと、
を有する録画予約方法である。
【００２４】
また、本願の請求項１３に記載の技術は、
番組情報を取得する番組情報取得部、
番組の録画予約時に、録画予約する番組の関連番組の情報を前記番組情報で自動検索する関連番組検索部、
前記関連番組検索部が取得した関連番組の情報に基づいて、関連番組の録画予約処理を行なう関連番組予約部、
としてコンピューターを機能させるために、コンピューター可読形式で記述されたコンピューター・プログラムである。
【００２５】
本願の請求項１３に係るコンピューター・プログラムは、コンピューター上で所定の処理を実現するようにコンピューター可読形式で記述されたコンピューター・プログラムを定義したものである。換言すれば、本願の請求項１３に係るコンピューター・プログラムをコンピューターにインストールすることによって、コンピューター上では協働的作用が発揮され、本願の請求項１に係る録画予約装置と同様の作用効果を得ることができる。
【発明の効果】
【００２６】
本明細書で開示する技術によれば、複数話で構成される番組を好適に録画予約することができる、優れた録画予約装置及び録画予約方法、並びにコンピューター・プログラムを提供することができる。
【００２７】
本明細書で開示する録画予約装置によれば、不定期放送の可能性のある、複数話で構成される番組の手動録画予約時に次回放送を自動検知するので、録り逃しを防ぐことができる。
【００２８】
また、本明細書で開示する録画予約装置によれば、複数話で構成される番組の次回以降の録画をユーザーが希望しない場合は、録画予約情報や録画履歴の自動削除を行なうので、自動検索や嗜好解析録画による不必要な録画も行なわないようにすることができる。
【００２９】
本明細書で開示する技術のさらに他の目的、特徴や利点は、後述する実施形態や添付する図面に基づくより詳細な説明によって明らかになるであろう。
【図面の簡単な説明】
【００３０】
【図１】図１は、ディジタル放送の受信機能並びに録画予約機能を備えた録画装置１００構成を模式的に示した図である。
【図２】図２は、録画装置１００において録画予約を開始するための処理手順を示したフローチャートである。
【図３】図３は、予約録画が完了した時点で起動する録画予約処理の手順を示したフローチャートである。
【図４】図４は、録画した番組を視聴した後に起動する録画予約処理の手順を示したフローチャートである。
【図５】図５は、ＥＰＧデータを更新した後に起動する録画予約処理の手順を示したフローチャートである。
【発明を実施するための形態】
【００３１】
以下、図面を参照しながら本明細書で開示する技術の実施形態について詳細に説明する。
【００３２】
図１には、ディジタル放送の受信機能並びに録画予約機能を備えた録画装置１００構成を模式的に示している。録画装置１００は、例えば、ハード・ディスク・レコーダーや光ディスク・レコーダー、パーソナル・コンピューターなどである。以下、各部について説明する。
【００３３】
録画装置１００は、ＢＳ（Ｂｒｏａｄｃａｓｔｉｎｇ  Ｓａｔｅｌｌｉｔｅ）／ＣＳ（Ｃｏｍｍｕｎｉｃａｔｉｏｎｓ  Ｓａｔｅｌｌｉｔｅ）ディジタル放送、地上ディジタル放送によって放送されるコンテンツ（番組）の映像や音声をテレビジョン受像機（図示しない）から出力させたり、コンテンツを録画したりする。すなわち、録画装置１００にはテレビジョン受像機が接続されるとともに、アンテナからの信号が供給される。また、録画装置１００は、ＬＡＮ（Ｌｏｃａｌ  Ａｒｅａ  Ｎｅｔｗｏｒｋ）を介してインターネットにも接続されている。
【００３４】
ディジタル放送用チューナー１０２は、制御部１１１による制御に従って、ＲＦ入力端子１０１に入力されるアンテナからのＲＦ信号を受信、復調し、復調して得られた信号をディジタル放送のビット・ストリームに展開する。ディジタル放送用チューナー１０２は、制御部１１１により指示された例えば録画対象のコンテンツのビット・ストリームをデマルチプレクサー（Ｄｅｍｕｘ）１２１に出力する。
【００３５】
デマルチプレクサー１２１は、ディジタル放送用チューナー１０２から供給されたビット・ストリームを映像ストリーム、音声ストリーム、データ・ストリームのそれぞれのストリームに分離し、分離したストリームをＰＳＩ／ＳＩパーサー１２２に出力する。
【００３６】
ＰＳＩ／ＳＩパーサー１２２は、デマルチプレクサー１２１から供給されたストリームのうち、映像ストリームと音声ストリームからなるＡＶストリームをストリーム・バッファー１０５に出力するとともに、データ・ストリームを対象として解析処理を行ない、現在時刻を含む日を基準として８日分などの必要期間分の放送予定のコンテンツの情報を含むＥＰＧデータをＥＰＧ記憶部１０４に出力する。ＰＳＩ／ＳＩパーサー１２２により得られるＥＰＧデータには、ＥＩＴ（Ｅｖｅｎｔ  Ｉｎｆｏｒｍａｔｉｏｎ  Ｔａｂｌｅ）から抽出されたコンテンツのタイトル、出演者の名前やあらすじなどの詳細情報、放送開始時刻、ジャンルの情報と、ＮＩＴ（Ｎｅｔｗｏｒｋ  Ｉｎｆｏｒｍａｔｉｏｎ  Ｔａｂｌｅ）とＤＴ（Ｓｅｒｖｉｃｅ  Ｄｅｓｃｒｉｐｔｉｏｎ  Ｔａｂｌｅ）から抽出された放送局名の情報などが含まれる。
【００３７】
ＥＰＧ記憶部１０４は、ＰＳＩ／ＳＩパーサー１２２から供給されたＥＰＧデータを記憶する。また、ＥＰＧ記憶部１０４は、インターネット上のサーバーからダウンロードしたＥＰＧデータや、ＬＡＮに接続される外部の機器から取得されたＥＰＧデータがネットワーク端子１０６を介して供給されたとき、それを記憶する。ＥＰＧ記憶部１０４に記憶されているＥＰＧデータは、適宜、制御部１１１により読み出される。
【００３８】
ストリーム・バッファー１０５は、ＰＳＩ／ＳＩパーサー１２２から供給された、放送番組などのＡＶストリームをコンテンツ蓄積部１０７に出力し、記憶させる。また、ストリーム・バッファー１０５は、制御部１１１による制御に従ってコンテンツ蓄積部１０７から読み出されたＡＶストリームをＭＰＥＧ（Ｍｏｖｉｎｇ  Ｐｉｃｔｕｒｅ  Ｅｘｐｅｒｔｓ  Ｇｒｏｕｐ）デコーダー１０８に出力する。
【００３９】
コンテンツ蓄積部１０７は、ストリーム・バッファー１０５から供給されたＡＶストリームを記憶する。ＥＰＧ記憶部１０４とコンテンツ蓄積部１０７は、例えば１つのハード・ディスクの領域がパーティションで区切られることによって実現される。
【００４０】
ＭＰＥＧデコーダー１０８は、ストリーム・バッファー１０５から供給されたＡＶストリームをデコードし、デコードして得られた信号をビデオ・エンコーダー１０９に出力する。
【００４１】
ビデオ・エンコーダー１０９は、ＭＰＥＧデコーダー１０８から供給された信号に基づいて映像信号を生成し、生成した映像信号をビデオ出力端子１１０からテレビジョン受像機（図示しない）に出力する。テレビジョン受像機においては、ビデオ・エンコーダー１０９により生成された映像信号に基づいて、録画済みのコンテンツの映像などが表示される。
【００４２】
ＵＩ（Ｕｓｅｒ  Ｉｎｔｅｒｆａｃｅ）制御部１１２は、リモート・コントローラー（図示しない）から送信されてきたリモコン・コマンドを受信してコマンドの解釈を行ない、ユーザーの操作の内容を表す信号を制御部１１１に出力する。
【００４３】
以上のような構成を有する録画装置１００は、リモート・コントローラーを通したユーザーの手動操作に従って、番組の録画予約を行なうことができる。また、録画装置１００は、ＥＰＧ記憶部１０４に記憶されているＥＰＧデータを参照して、放送予定のコンテンツの中から、ユーザーにより設定された条件に合うコンテンツを録画対象のコンテンツとして自動的に録画予約する機能を有する。また、本実施形態では、録画装置１００は、不定期放送の可能性のある、複数話で構成される番組が手動で録画予約されたときに、次回放送を自動検知して録画予約する。さらに、一旦録画予約したが次回以降の録画をユーザーが希望しない場合には、録画予約情報や録画履歴を自動的に削除して、自動検索や嗜好解析録画による不必要な録画も行なわないようにする。これらの録画予約に関する機能は、制御部１１１が所定のプログラムを実行するという形態で実現することができる。制御部１１１は、自動録画予約や嗜好解析自動録画を実現するために、録画情報記憶部１１３を備えている。録画情報記憶部１１３には、録画予約情報や予約録画の履歴情報、さらには嗜好解析自動録画の学習履歴、嗜好解析の対象から外すための非嗜好リストなどが保存されている。
【００４４】
図２には、録画装置１００において録画予約を開始するための処理手順をフローチャートの形式で示している。図示の処理手順は、制御部１１１が所定のプログラムを実行するという形態で実現される。
【００４５】
例えば、ビデオ出力端子１１０を介して接続されているテレビジョン受像機の画面にはＥＰＧデータに基づく番組表が表示されている。そして、ユーザーは、リモコン操作などを通じて（すなわち手動で）、番組表から録画予約したい番組を選択する（ステップＳ２０１）。
【００４６】
次いで、ＥＰＧ記憶部１０４に記憶されている当該選択された番組のＥＰＧデータを解析して、当該番組が複数話で構成される番組であるかどうかを判定する（ステップＳ２０２）。
【００４７】
ステップＳ２０１で手動選択した番組が複数話で構成される番組であると判定された場合には（ステップＳ２０２のＹｅｓ）、当該番組に関連する番組をＥＰＧ記憶部１０４内で自動検索する（ステップＳ２０３）。
【００４８】
関連番組を自動検索した結果、次回以降の放送を検出できたときには（ステップＳ２０４のＹｅｓ）、ステップＳ２０１で手動により予約した番組と次回以降の番組の放送間隔を、ＥＰＧ記憶部１０４に記憶されているＥＰＧデータを基に判定する（ステップＳ２０５）。
【００４９】
そして、放送間隔を判定した結果、次回放送が同じ週内の別の曜日の同じ時間帯であれば、ステップＳ２０１で手動選択した番組に対して曜日設定による録画予約設定を自動的に行ない（ステップＳ２０６）、予約設定処理を継続する（ステップＳ２０７）。また、放送間隔を判定した結果、次回放送が次週であれば、ステップＳ２０１で手動選択した番組に対して毎週設定による録画予約設定を自動的に行ない（ステップＳ２１１）、予約設定処理を継続する（ステップＳ２０７）。その際に、自動録画予約機能が有効になって入れたら、すべての録画予約設定を自動的に完了する。
【００５０】
また、関連番組を自動検索した結果、次回以降の放送を検出できなかったときには（ステップＳ２０４のＮｏ）、ステップＳ２０１で手動選択した番組に対して複数話設定して（ステップＳ２１０）、予約設定処理を継続する（ステップＳ２０７）。番組を複数話設定するとは、具体的には、当該録画予約した番組が複数話で構成されているという情報を、例えば番組情報として保存しておくことである。複数話設定された番組は、予約録画が完了した時点で、次回放送の検出が行なわれるが、詳細については後述に譲る。
【００５１】
他方、ステップＳ２０１で手動選択した番組が複数話で構成される番組でないと判定された場合には（ステップＳ２０２のＮｏ）、当該番組を単番組と設定して（ステップＳ２０９）、予約設定処理を継続する（ステップＳ２０７）。
【００５２】
そして、ステップＳ２０１で手動選択した番組について、上記のように曜日設定、毎週設定、複数話設定、単番組設定のいずれかにより予約処理が完了すると（ステップＳ２０８）、本処理ルーチンを終了する。
【００５３】
図３には、予約録画が完了した時点で起動する録画予約処理の手順をフローチャートの形式で示している。図示の処理手順は、制御部１１１が所定のプログラムを実行するという形態で実現される。
【００５４】
番組の予約録画が完了した時点で（ステップＳ３０１）、当該予約録画した番組が複数話設定になっているかどうかを確認する（ステップＳ３０２）。図２を参照しながら説明したように、録画予約した番組が複数は構成と判定されるがその時点でのＥＰＧデータからは次回放送を検出できないときに、当該録画予約した番組に対して自動的に複数話設定されている。勿論、ユーザーが手動で番組を複数話設定するようにしてもよい。
【００５５】
予約録画した番組が複数話設定になっている場合には（ステップＳ３０２のＹｅｓ）、続いて、録画した番組が最終回かどうかを、ＥＰＧ記憶部１０４に記憶されているＥＰＧデータなどから判定する（ステップＳ３０３）。
【００５６】
録画番組が最終回であると判定された場合には（ステップＳ３０３のＹｅｓ）、予約情報を自動的に削除して（ステップＳ３１７）、当該予約処理を終了する。
【００５７】
一方、録画した番組が最終回ではない場合には（ステップＳ３０３のＮｏ）、録画した番組について関連番組を自動的に検索する（ステップＳ３０４）。そして、自動検索した結果、次回放送を検出した場合には（ステップＳ３０５のＹｅｓ）、自動予約設定が有効になっているかどうかをさらにチェックする（ステップＳ３０６）。
【００５８】
自動予約設定が有効になっている場合には（ステップＳ３０６のＹｅｓ）、自動的に予約処理を起動し（ステップＳ３０７）、予約処理を完了する（ステップＳ３０８）。
【００５９】
また、自動予約設定が有効でない場合には（ステップＳ３０６のＮｏ）、続いて、録画後の予約確認が有効になっているかどうかをチェックする（ステップＳ３０９）。
【００６０】
録画後の予約確認が有効になっている場合には（ステップＳ３０９の「あり」）、例えばビデオ出力端子１１０に接続されているテレビジョン受像機の画面上に、予約方法を選択するダイアログを表示して（ステップＳ３１１）、ユーザーに予約方法の選択を行なわせる（ステップＳ３１２）。
【００６１】
ユーザーが予約方法として自動予約を選択した場合には、自動的に予約設定を行なう（ステップＳ３１３）。
【００６２】
また、ユーザーが予約方法として手動予約を選択した場合には、予約設定処理に入る（ステップＳ３１４）。
【００６３】
また、ユーザーが視聴後再確認を選択した場合には、未予約フラグをオンにして（ステップＳ３１５）、予約処理を完了する。未予約フラグがオンにされた番組は、録画予約が確定されていない「仮予約」の状態である。本実施形態では、予約録画した番組をユーザーが視聴した後に、仮予約された次回放送番組を予約するかどうかを確認するようになっている（後述）。
【００６４】
また、ユーザーが予約方法として予約しないを選択した場合には、予約情報及び予約の履歴情報を録画情報記憶部１１３から削除して（ステップＳ３１６）、次回以降の放送を自動的に録画やおすすめされることがないようにする。非嗜好リストに登録などしても良い。
【００６５】
また、関連番組を自動検索しても、次回放送が検出されない場合には（ステップＳ３０５のＮｏ）、当該予約処理を終了する。
【００６６】
また、自動予約設定が有効でなく、且つ、録画後の予約確認が有効でない場合には（ステップＳ３０９の「なし」）、番組情報が検出されたことを告知すること及び予約処理が簡便になるように、予約リストに予約情報を自動的に設定して更新マークを表示し、録画はオフとしておく（ステップＳ３１０）。
【００６７】
図４には、録画した番組を視聴した後に起動する録画予約処理の手順をフローチャートの形式で示している。図示の処理手順は、制御部１１１が所定のプログラムを実行するという形態で実現される。
【００６８】
ユーザーが録画した番組の視聴を終了した際に（ステップＳ４０１）、当該番組が複数話設定の予約の番組であるかどうかをチェックする（ステップＳ４０２）。図２を参照しながら説明したように、録画予約した番組が複数は構成と判定されるがその時点でのＥＰＧデータからは次回放送を検出できないときに、当該録画予約した番組に対して自動的に複数話設定されている。
【００６９】
視聴を終了した番組が複数話設定ではない場合には（ステップ      Ｓ４０２のＮｏ）、次回放送番組を予約するかどうかを確認する必要がないので、本処理ルーチンを終了する。一方、視聴を終了した番組が複数話設定の場合には（ステップＳ４０２のＹｅｓ）、次いで、未予約フラグがあるかどうかをチェックする（ステップＳ４０３）。未予約フラグがオンにされた番組は、録画予約が確定されていない「仮予約」の状態であり、次回放送番組を予約するかどうかを確認する必要がある。
【００７０】
未予約フラグがない場合は（ステップＳ４０３のＮｏ）、次回放送番組を予約するかどうかを確認する必要がないので、本処理ルーチンを終了する。一方、未予約フラグがある場合には（ステップＳ４０３のＹｅｓ）、次いで、自動予約設定が有効になっているかどうかをさらにチェックする（ステップＳ４０４）。
【００７１】
自動予約設定が有効になっている場合には（ステップＳ４０４のＹｅｓ）、自動的に予約処理を起動し（ステップＳ４０５）、予約処理を完了する（ステップＳ４０６）。
【００７２】
また、自動予約設定が有効でない場合には（ステップＳ４０４のＮｏ）、例えばビデオ出力端子１１０に接続されているテレビジョン受像機の画面上に、予約方法を選択するダイアログを表示して（ステップＳ４０７）、ユーザーに予約方法の選択を行なわせる（ステップＳ４０８）。
【００７３】
ユーザーが予約方法として自動予約を選択した場合には、自動的に予約設定を行なって（ステップＳ４０９）、予約処理を完了する（ステップＳ４０６）。
【００７４】
また、ユーザーが予約方法として手動予約を選択した場合には、予約設定処理に入る（ステップＳ４１０）。そして、予約設定が済むと、、予約処理を完了する（ステップＳ４０６）
【００７５】
また、ユーザーが予約方法として予約しないを選択した場合には、予約情報及び予約の履歴を録画情報記憶部１１３から削除して（ステップＳ４１１）、次回以降の放送を自動的に録画やおすすめされることがないようにする。非嗜好リストに登録などしても良い。
【００７６】
図５には、ＥＰＧデータを更新した後に起動する録画予約処理の手順をフローチャートの形式で示している。図２を参照しながら説明したように、録画予約した番組が複数は構成と判定されるがその時点でのＥＰＧデータからは次回放送を検出できないときに、当該録画予約した番組に対して自動的に複数話設定される。本処理ルーチンでは、複数話設定されている番組について、更新されたＥＰＧデータに基づいて予約処理を行なう。この処理手順は、制御部１１１が所定のプログラムを実行するという形態で実現される。
【００７７】
ＥＰＧデータを更新した時点で（ステップＳ５０１）、複数話設定の予約が存在するかを確認する（ステップＳ５０２）。
【００７８】
複数話設定の予約が存在する場合には（ステップＳ５０２のＹｅｓ）、続いて、次いで、未予約フラグがあるかどうかをチェックする（ステップＳ５０３）。未予約フラグがオンにされた番組は、録画予約が確定されていない「仮予約」の状態であり、次回放送番組を予約するかどうかを確認する必要がある。
【００７９】
未予約フラグがない場合は（ステップＳ５０３のＮｏ）、次回放送番組を予約するかどうかを確認する必要がないので、本処理ルーチンを終了する。一方、未予約フラグがある場合には（ステップＳ５０３のＹｅｓ）、次いで、未予約フラグが設定されている番組について、関連番組を自動的に検索する（ステップＳ５０４）。そして、自動検索した結果、次回放送を検出した場合には（ステップＳ５０５のＹｅｓ）、自動予約設定が有効になっているかどうかをさらにチェックする（ステップＳ５０６）。
【００８０】
自動予約設定が有効になっている場合には（ステップＳ５０６のＹｅｓ）、自動的に予約処理を起動し（ステップＳ５０７）、予約処理を完了する（ステップＳ５０８）。
【００８１】
また、自動予約設定が有効でない場合には（ステップＳ５０６のＮｏ）、続いて、ＥＰＧデータを更新した後の予約確認が有効になっているかどうかをチェックする（ステップＳ５０９）。
【００８２】
ＥＰＧデータを更新した後の予約確認が有効になっている場合には（ステップＳ５０９の「あり」）、例えばビデオ出力端子１１０に接続されているテレビジョン受像機の画面上に、予約方法を選択するダイアログを表示して（ステップＳ５１１）、ユーザーに予約方法の選択を行なわせる（ステップＳ５１２）。
【００８３】
ユーザーが予約方法として自動予約を選択した場合には、自動的に予約設定を行なう（ステップＳ５１３）。
【００８４】
また、ユーザーが予約方法として手動予約を選択した場合には、予約設定処理に入る（ステップＳ５１４）。
【００８５】
また、ユーザーが予約方法として予約しないを選択した場合には、予約情報及び予約の履歴を録画情報記憶部１１３から削除して（ステップＳ５１５）、次回以降の放送を自動的に録画やおすすめされることがないようにする。非嗜好リストに登録などしても良い。
【００８６】
また、関連番組を自動検索しても、次回放送が検出されない場合には（ステップＳ５０５のＮｏ）、当該予約処理を終了する。
【００８７】
また、自動予約設定が有効でなく、且つ、録画後の予約確認が有効でない場合には（ステップＳ５０９の「なし」）、番組情報が検出されたことを告知すること及び予約処理が簡便になるように、予約リストに予約情報を自動的に設定して更新マークを表示し、録画はオフとしておく（ステップＳ５１０）。
【００８８】
上述したように、本明細書で開示する録画予約装置によれば、番組予約時に自動的に関連番組の検索を行ない、自動的に予約や予約処理の表示を行なうことで、ユーザーが自分で次回の放送を探す手間や予約の手間が無くなる。
【００８９】
また、本明細書で開示する録画予約装置によれば、録画予約時に番組情報から複数話で構成されることが判定された場合に、自動的に複数話での録画予約又は複数話で構成されているという情報を保存して次回放送検出時に自動予約又は告知することで、ユーザーが判断して予約設定をする必要が無くなる。
【００９０】
また、本明細書で開示する録画予約装置によれば、手動で複数話での録画予約設定や自動判定による複数話で構成されているという情報を保存することで後続の番組情報が得られた場合に自動的に録画予約を行なうことにより、ＥＰＧデータが得られていない先の番組を予約できず、後で予約することを忘れて録り逃すことを防ぐことが出来る。
【００９１】
また、本明細書で開示する録画予約装置によれば、予約時の自動検索により、次回放送が同じ時間の帯番組や次の週にあることが検出された場合、自動的に予約情報を毎日や毎週等設定する事で、放送スケジュールを自分で確かめて設定する手間が無くなる。
【００９２】
また、本明細書で開示する録画予約装置によれば、自動検索予約時に検索された番組の予約確認時に、「後で」や「予約番組視聴後」などを選択することで、予約した番組の録画後や視聴後に再度確認を求めるようにして、手間無く今後も録画をし続けるかを判断してから予約の是非を選択できる。
【００９３】
また、本明細書で開示する録画予約装置によれば、予約番組を視聴して停止した時又は関連番組の番組情報が配信された検知時に、以降は録画しないと選択すれば、以降の番組の予約情報及び録画履歴を削除し又は非嗜好リストに登録し、今後自動検索して予約関連処理を実行しないようにする。嗜好解析自動録画の学習履歴やキーワード録画の対象からも自動的に削除又は非嗜好リストに入れることで、再放送等も含めて同番組の自動録画やおすすめをされることが無くなり、不要な手間が省ける。
【００９４】
また、本明細書で開示する録画予約装置によれば、録画終了時やＥＰＧデータ更新時などに自動検索で次回放送が検出され、自動予約設定がされていない場合、予約情報を自動設定し、更新マークをつけて録画はオフとしておくことで、次回放送が検出されたことが分かり易くなり、その後の予約も簡便にすることができる。
【００９５】
また、本明細書で開示する録画予約装置によれば、複数話設定の予約録画が終了した際に、録画した番組が最終回であると判定された場合は自動的に予約情報を削除することでユーザーが予約情報を手動で削除する手間が省ける。
【産業上の利用可能性】
【００９６】
以上、特定の実施形態を参照しながら、本明細書で開示する技術について詳細に説明してきた。しかしながら、本技術の要旨を逸脱しない範囲で当業者が該実施形態の修正や代用を成し得ることは自明である。
【００９７】
本明細書で説明した録画予約に関する各種の処理は、コンピューター上で所定のプログラムを実行するという形態で実現することができるが、本明細書で説明する順序に沿って時系列に処理が行なわれるプログラムであっても良いし、並列に、あるいは呼び出しが行なわれたときなどの必要なタイミングで処理が行なわれるプログラムであっても良い。
【００９８】
要するに、例示という形態で本技術を開示してきたのであり、本明細書の記載内容を限定的に解釈するべきではない。本技術の要旨を判断するためには、特許請求の範囲を参酌すべきである。
【符号の説明】
【００９９】
１００…録画装置
１０１…ＲＦ端子
１０２…ディジタル放送用チューナー
１０４…ＥＰＧ記憶部
１０５…ストリーム・バッファー
１０６…ネットワーク端子
１０７…コンテンツ蓄積部
１０８…ＭＰＥＧデコーダー
１０９…ビデオ・エンコーダー
１１０…ビデオ出力端子
１１１…制御部
１１２…ＵＩ制御部
１１３…録画情報記憶部
１２１…デマルチプレクサー
１２２…ＰＳＩ／ＳＩパーサー
【図１】
2012205165.tif 000003
【図２】
2012205165.tif 000004
【図３】
2012205165.tif 000005
【図４】
2012205165.tif 000006
【図５】
2012205165.tif 000007